(57)【要約】      （修正有）【課題】揉む、掻く、梳く、擦るようにマッサージすることが可能である。【解決手段】ヘアブラシ１は、ブラシ部１０と把持部２０とを備え、ブラシ部１０は、把持部２０を中心として放射状に伸びる複数個のブラシ足部１０ａを有し、ブラシ足部１０ａは、可とう性を有し、人体頭部に押圧接触させてブラシングすることで放射状に広がるように変形可能である。【選択図】図２
2016119947.tif 000002
【特許請求の範囲】
【請求項１】
ブラシ部と把持部とを備え、
前記ブラシ部は、前記把持部を中心として放射状に伸びる複数個のブラシ足部を有し、
前記ブラシ足部は、可とう性を有し、
人体頭部に押圧接触させてブラシングすることで放射状に広がるように変形可能であることを特徴とするヘアブラシ。
【請求項２】
前記ブラシ足部は、前記把持部を中心として複数の円を形成するように長さを変化させたことを特徴とする請求項１に記載のヘアブラシ。
【請求項３】
前記ブラシ足部の人体頭部に押圧接触させる部分に、
曲面部または凹凸部を形成したことを特徴とする請求項１または請求項２に記載のヘアブラシ。
【請求項４】
前記把持部は、貯留する薬液を吐出させて塗布する塗布部を備えることを特徴とする請求項１乃至請求項３のいずれか１項に記載のヘアブラシ。
【発明の詳細な説明】
【技術分野】
【０００１】
この発明は、人体頭部に押圧接触させてブラシングするヘアブラシに関する。
【背景技術】
【０００２】
一般的にヘアブラシは、ブラシ部と把持部とを備え、ブラシ部には、毛髪をブラッシングするブリッスルとしての多数のブラシピンやブラシ毛が起立状態で植毛されたものが周知である。
【０００３】
このようなヘアブラシでは、長手方向両端側（先端側及び根元側）のブリッスルが毛髪に接触しづらいので、毛髪とブリッスルとの接触領域が狭く、その結果、一度にできるブラッシングの範囲が狭いものとなっていた。
【０００４】
そこで、ブリッスル全体が毛髪と均等に接触して一度にできるブラッシングの範囲が  広くできるものが提案されている。（例えば、特許文献１）。
【先行技術文献】
【特許文献】
【０００５】
【特許文献１】特開２０１３−２４０４３４号公報
【発明の概要】
【発明が解決しようとする課題】
【０００６】
しかしながら、このようなヘアブラシでは、ブラシ毛が密接した状態で固定されているため、ブラシ毛間に毛髪が挟まりやすく、挟まって傷付いた毛髪が枝毛になりすやい。しかも、ブラシ毛が密接していると、毛髪との摩擦が大きく、強い力でないとブラッシングができない。しかも、毛髪が通りにくいため、ブラシ毛が頭皮に到達しにくく、毛根、毛穴まできれいに清掃することができない。
【０００７】
また、髪と頭皮にためにマッサージすると、地肌のコリをほぐし、血行を促進することで、地肌からの老廃物の排出を促して毛穴のつまりを取り除くことができるが、従来のヘアブラシではマッサージすることができなかった。
【０００８】
この発明はこれら従来の問題点を解消し、揉む、掻く、梳く、擦るようにマッサージすることが可能なヘアブラシを提供することを目的とするものである。
【課題を解決するための手段】
【０００９】
前記課題を解決し、かつ目的を達成するために、この発明は、以下のように構成した。
【００１０】
請求項１に記載の発明は、ブラシ部と把持部とを備え、
前記ブラシ部は、前記把持部を中心として放射状に伸びる複数個のブラシ足部を有し、
前記ブラシ足部は、可とう性を有し、
人体頭部に押圧接触させてブラシングすることで放射状に広がるように変形可能であることを特徴とするヘアブラシである。
【００１１】
請求項２に記載の発明は、前記ブラシ足部は、前記把持部を中心として複数の円を形成するように長さを変化させたことを特徴とする請求項１に記載のヘアブラシである。
【００１２】
請求項３に記載の発明は、前記ブラシ足部の人体頭部に押圧接触させる部分に、
曲面部または凹凸部を形成したことを特徴とする請求項１または請求項２に記載のヘアブラシである。
【００１３】
請求項４に記載の発明は、前記把持部は、貯留する薬液を吐出させて塗布する塗布部を備えることを特徴とする請求項１乃至請求項３のいずれか１項に記載のヘアブラシである。
【発明の効果】
【００１４】
前記構成により、この発明は、以下のような効果を有する。
【００１５】
請求項１に記載の発明では、ブラシ部は、把持部を中心として放射状に伸びる複数個のブラシ足部を有しており、このブラシ足部は、人体頭部に押圧接触させてブラシングすることで放射状に広がるように変形することで、揉む、掻く、梳く、擦るようにマッサージすることが可能であり、毛根、毛穴まできれいに清掃し、しかも地肌のコリをほぐし、血行を促進することで、地肌からの老廃物の排出を促して毛穴のつまりを取り除くことができる。
【００１６】
請求項２に記載の発明では、ブラシ足部は、把持部を中心として複数の円を形成するように長さを変化させたことで、人体頭部の広範囲に押圧接触させてブラシングし、かつ揉む、掻く、梳く、擦るようにマッサージすることが可能である。
【００１７】
請求項３に記載の発明では、ブラシ足部の人体頭部に押圧接触させる部分に、
曲面部または凹凸部を形成したことで、効果的に揉む、掻く、梳く、擦るようにマッサージすることが可能である。
【００１８】
請求項４に記載の発明では、貯留する薬液を吐出させて塗布することで、マッサージするとともに、薬液を毛穴まで塗布するこができる。
【図面の簡単な説明】
【００１９】
【図１】第１の実施の形態のヘアブラシを示す図である。
【図２】ヘアブラシのブラシ足部の個数を示す図である。
【図３】ヘアブラシのブラシ足部の個数を示す図である。
【図４】ヘアブラシのブラシ足部の個数を示す図である。
【図５】ヘアブラシのブラシ足部の個数を示す図である。
【図６】ヘアブラシの成形方法を説明する図である。
【図７】ヘアブラシの成形方法を説明する図である。
【図８】ヘアブラシの成形方法を説明する図である。
【図９】ヘアブラシの成形方法を説明する図である。
【図１０】ブラシ足部の人体頭部に押圧接触させる部分の構成を示す図である。
【図１１】ブラシ足部の人体頭部に押圧接触させる部分の構成を示す図である。
【図１２】ブラシ足部の人体頭部に押圧接触させる部分の構成を示す図である。
【図１３】ブラシ足部の実施の形態を示す図である。
【図１４】第２の実施の形態のヘアブラシを示す図である。
【図１５】他の実施の形態のヘアブラシを示す図である。
【図１６】他の実施の形態のヘアブラシを示す図である。
【図１７】第３の実施の形態のヘアブラシを示す図である。
【図１８】組み付けのヘアブラシを示す図である。
【図１９】組み付けのヘアブラシを示す図である。
【図２０】短いブラシ足部を有するヘアブラシを示す図である。
【図２１】第４の実施の形態のヘアブラシを示す図である。
【図２２】他の実施の形態のヘアブラシを示す図である。
【図２３】他の実施の形態のヘアブラシを示す図である。
【発明を実施するための形態】
【００２０】
以下、この発明のヘアブラシの実施の形態について説明する。この発明の実施の形態は、発明の最も好ましい形態を示すものであり、この発明はこれに限定されない。
【００２１】
（第１の実施の形態）
この実施の形態のヘアブラシは図１に示すように構成され、図１（ａ）はヘアブラシの平面図、図１（ｂ）は図１（ａ）のｂ−ｂ線に沿う断面図、図１（ｃ）はヘアブラシの底面図である。
【００２２】
このヘアブラシ１は、ブラシ部１０と把持部２０とを備え、ブラシ部１０と把持部２０はゴムまたは樹脂で一体に成形される。ブラシ部１０は、把持部２０を中心として放射状に伸びる複数個のブラシ足部１０ａを有し、この実施の形態では、ブラシ足部１０ａが８個形成されている。このブラシ足部１０ａは、可とう性を有し、基部１０ａ１から外側へ延びるように湾曲し先端部１０ａ２が内側に向かう形状であり、先端部１０ａ２から人体頭部に押圧接触させてブラシングすることで放射状に広がるように変形可能である。このブラシ足部１０ａは、人体頭部に押圧接触させる部分である先端部１０ａ２が、曲面部に形成されている。
【００２３】
図２はヘアブラシの使用状態を示す。使用者が把持部２０を片手で持ち、ブラシ部１０の先端部１０ａ２を、人体頭部１００に押圧接触させる。ブラシ部１０は、把持部２０を中心として放射状に伸びる複数個のブラシ足部１０ａを有しており、このブラシ足部１０ａは、人体頭部１００に押圧接触させてブラシングすることで放射状に広がるように変形し、押圧を弱めると放射状に広がった複数個のブラシ足部１０ａが元の形状になるように変形する。このようにして、先端部１０ａ２からブラシ足部１０ａの中間部に向けて人体頭部１００に押圧接触させることができ、複数個のブラシ足部１０ａによって人体頭部１００を、揉む、掻く、梳く、擦るようにマッサージすることが可能であり、毛根、毛穴まできれいに清掃し、しかも地肌のコリをほぐし、血行を促進することで、地肌からの老廃物の排出を促して毛穴のつまりを取り除くことができる。
【００２４】
ここで、掻く、擦るは、ブラシ足部１０ａの先端部１０ａ２を、A:頭皮に当て、B:先端部１０ａ２が開き、C:先端部１０ａ２が頭の丸味に添って移動し、D:先端部１０ａ２が頭の丸い太い部分を通過して、E:押圧作動が止まるところまでの一連の動きである。揉むは、先端部１０ａ２を上の一連の動きのどこでも約１ｃｍから約５ｃｍの間の往復又は回転あるいは縦回転又は斜めに又は振動のような部分の先端部１０ａ２の押圧による動きである。梳くは、ブラシ足部１０ａ全体を櫛で梳くように頭の前から後ろに或いは左横から右横方向に或いは斜めに頭全体にブラシ足部１０ａで髪の毛を梳く動きである。
【００２５】
可とう性の構成材料は、マッサージすることができるだけの強度と柔軟性を併せ持つ材料であればよく、例えばポリアミド系繊維樹脂、ポリエチレン樹脂、塩化ビニル樹脂、ＥＶＡ樹脂、ポリエステル樹脂、ポリイミド樹脂、ポリエチレンテレフタレート樹脂、セルロース樹脂、ポリテトラフルオロエチレン樹脂、ポリプロピレン樹脂などからなる樹脂やシリコンゴム、ＮＢＲゴム、ＣＲゴム、ブタジコンゴム、ブチルゴム、アクリルゴム、ブタジエンゴム、ウレタンゴムなどのゴムが挙げられる。また、エラストマー、その他、半硬質、軟質プラスチックが挙げられる。
【００２６】
可とう性の構成材料の物性としては、弾力性があること、復元力があること、耐摩耗性があること、使用目的で異なるが全てに以上の３点が重要であり、髪は頭皮への強用にあっては、耐薬性、耐アルコール、耐溶剤の材料を使用する。
【００２７】
［ブラシ足部の個数］
次に、ブラシ足部の個数について説明する。図１及び図２の実施の形態は、８個形成されているが、図３乃至図５のように形成することができる。図３の実施の形態では、ブラシ足部１０ａが４個形成され、図４の実施の形態では、ブラシ足部１０ａが６個形成され、図５の実施の形態では、ブラシ足部１０ａが１２個形成されているが、これに限定されない。
【００２８】
［ヘアブラシの成形方法］
次に、ヘアブラシの成形方法を、図６乃至図８に基づいて説明する。図６の実施の形態では、下型１００、上型１０１、中子型１０２を組み付けた状態で、中子型１０２の注入孔１０２ａから樹脂を注入し、樹脂が固まりヘアブラシ１が成形されると、下型１００と上型１０１を開き、ヘアブラシ１を強制的に引き上げて中子型１０２から取り外す。
【００２９】
図７の実施の形態では、１個の下型１１０、４個の上型１１１を組み付けた状態で、４個の上型１１１により形成される注入孔１１１ａから樹脂を注入し、樹脂が固まりヘアブラシ１が成形されると、４個の上型１１１をそれぞれ四方に開き、ヘアブラシ１を強制的に引き上げて下型１１０から取り外す。
【００３０】
図８の実施の形態では、下型１２０、上型１２１を組み付けた状態で、上型１２１の注入孔１２１ａから樹脂を注入し、樹脂が固まりヘアブラシの素材１ａが成形されると、下型１１０と上型１１１を開き、ヘアブラシの素材１ａを取り出す。このヘアブラシの素材１ａを加熱下治具１２０と加熱上治具１２１に嵌めて加熱することで、ヘアブラシ１が成形され、加熱下治具１２０と加熱上治具１２１を開放し、ヘアブラシ１を取り外す。加熱下治具１２０と加熱上治具１２１に嵌めて行う加熱は、加熱治具ごとに行ってもよいし、加温室１２２に入れて行うこともできる。
【００３１】
図９の実施の形態では、下型１３０、上型１３１を組み付けた状態で、上型１３１の注入孔１３１ａから樹脂を注入し、樹脂が固まりヘアブラシの素材１ａが成形されると、下型１３０と上型１３１を開き、ヘアブラシの素材１ａを取り出す。このヘアブラシの素材１ａを加熱下治具１３２〜１３４と加熱上治具１３５に嵌めて加熱することで、ヘアブラシ１が成形される。加熱上治具１３５から加熱下治具１３３、１３４で開放して、ヘアブラシ１を取り外す。加熱下治具１３２〜１３４と加熱上治具１３５に嵌めて行う加熱は、加熱治具ごとに行ってもよいし、加温室１２２に入れて行うこともできる。
【００３２】
［ブラシ足部の人体頭部に押圧接触させる部分の構成］
次に、ブラシ足部１０ａの人体頭部に押圧接触させる部分の構成を、図１０乃至図１３に基づいて説明する。図１０及び図１１の実施の形態では、ブラシ足部１０ａの先端部１０ａ２を内側へ突出させて曲面部１０ａ２１を形成している。曲面部１０ａ２１は、突出させることなく内側を曲面としてもよい。
【００３３】
このように、ブラシ足部１０ａの人体頭部に押圧接触させる部分に、曲面部１０ａ２１を形成することで、図１１に示すように揉む、掻く、梳く、擦るようにマッサージすることができる。すなわち、図１１（ａ）に示すように、ブラシ足部１０ａの先端部１０ａ２を、人体頭部に接触させて押すと、ブラシ足部１０ａの曲面部１０ａ２１が人体頭部に押圧接触し、ブラシ足部１０ａは、放射状に広がるように変形し、押圧を弱めると放射状に広がったブラシ足部１０ａが元の形状になるように変形する。先端部１０ａ２の曲面部１０ａ２１が、人体頭部に押圧接触してマッサージすることが可能であり、毛根、毛穴まできれいに清掃し、しかも地肌のコリをほぐし、血行を促進することで、地肌からの老廃物の排出を促して毛穴のつまりを取り除くことができる。
【００３４】
このブラシ足部１０ａは、成形の使用材料の硬度が高いほど広がりが小さく、広がりが小さいと、掻く、擦るが僅かでほとんど押圧の力でマッサージが主体となる。成形の使用材料の硬度が低いと柔らかく、ブラシ足部１０ａの広がりが大きく外方向に先端部１０ａ２が伸びて曲面部１０ａ２１で掻かれ擦られる。このように、マッサージが主体か掻かれ擦られることが主体かは使用材料硬度の選定による。
【００３５】
図１２の実施の形態は、ブラシ足部１０ａに所定間隔の位置に溝を形成して指関節１０ａ２２を設け、先端部１０ａ２に指紋のように凹凸部１０ａ２３を設ける。指紋のように凹凸部１０ａ２３は、円形または楕円形の凸条を２重または三重にして形成されるが、図１２（ｃ）のように凸状を複数個形成したものでもよく、指先の指紋と同様な摩擦が得られる。
【００３６】
人体頭部を揉むにも、人体頭部を洗うのも人の指で実行することが自然で最も望ましい。この実施の形態では、ブラシ足部１０ａに指関節１０ａ２２を設け、先端部１０ａ２に指紋のように凹凸部１０ａ２３を設けることで、人体頭部に沿って指関節１０ａ２２が伸びたり縮むことを繰り返すことができ、指と同様な間隔で人体頭部を揉む、掻く、擦ることができる。
【００３７】
図１３はブラシ足部の実施の形態を示している。図１３（ａ）の実施の形態は、ブラシ足部１０ａが内側に屈曲し、先端部１０ａ２が内側を向いた構成であり、図１３（ｂ）の実施の形態は、ブラシ足部１０ａが内側に屈曲し、先端部１０ａ２を外側へ向けて曲げた構成であり、図１３（ｃ）の実施の形態は、ブラシ足部１０ａが内側に屈曲し、先端部１０ａ２に向けて大きな歯形を形成した構成であり、図１３（ｄ）の実施の形態は、ブラシ足部１０ａが内側に屈曲し、先端部１０ａ２に向けて小さな歯形を形成した構成であり、図１３（ｅ）の実施の形態は、ブラシ足部１０ａが内側に屈曲し、先端部１０ａ２に向けて先端が尖った突起を形成した構成であり、図１３（ｆ）の実施の形態は、ブラシ足部１０ａが内側に屈曲し、先端部１０ａ２に向けて鍵形に屈曲させた構成である。
【００３８】
図１３（ａ）及び図１３（ｂ）の実施の形態では、先端部１０ａ２で揉む、掻く、擦ることができ、図１３（ｃ）乃至図１３（ｆ）の実施の形態では、ブラシ足部１０ａの先端部１０ａ２までの内側でも揉む、掻く、擦ることができる。
【００３９】
この実施の形態のヘアブラシ１は、人体頭部全体に全体表面どの角度からも使用して、揉む、掻く、梳く、擦るようにマッサージすることが可能であり、毛根、毛穴まできれいに清掃し、しかも地肌のコリをほぐし、血行を促進することで、地肌からの老廃物の排出を促して毛穴のつまりを取り除くことができる。ブラシ部１０は、把持部２０を中心として放射状に伸びる複数個のブラシ足部１０ａを有しており、円形又は楕円形に放射状に延びる。放射状に延びるブラシ足部１０ａは、把持部２０を中心として１個の円を形成してもよく、また複数の円を形成するように長さを変化させてもよい。複数の円を形成するように長さを変化させる場合には、同形で太さが大中または大中小の組合せ、異形で太さが大中または大中小の組合せ、同形または異形で長さが長、中長、中長短の組合せとすることができる。また、人体頭部に対して同時に揉む、掻く、梳く、擦るようにマッサージすることが可能である。
【００４０】
（第２の実施の形態）
この実施の形態のヘアブラシは、図１４乃至図１６に示すように構成される。この実施の形態は、ブラシ足部１０ａは、把持部２０を中心として複数の円を形成するように長さを変化させた構成であり、第１の実施の形態と同様な構成は、同じ符号を付して説明を省略する。
【００４１】
図１４の実施の形態について説明すると、図１４（ａ）はヘアブラシの平面図、図１４（ｂ）は図１４（ａ）のｂ−ｂ線に沿う断面図、図１４（ｃ）はヘアブラシの底面図である。この実施の形態では、把持部２０を中心として短いブラシ足部１０ａと、中間のブラシ足部１０ａと、長いブラシ足部１０ａの３個の円を形成するように長さを変化させて一体に成形した構成である。このように、ブラシ足部１０ａは、把持部２０を中心として３個の円を形成するように長さを変化させたことで、それぞれの長さが異なるブラシ足部１０ａによって人体頭部の広範囲に押圧接触させてブラシングし、かつ揉む、掻く、梳く、擦るようにマッサージすることが可能である。
【００４２】
図１５の実施の形態について説明すると、図１５（ａ）はヘアブラシの平面図、図１５（ｂ）は図１５（ａ）のｂ−ｂ線に沿う断面図、図１５（ｃ）はヘアブラシの底面図、図１５（ｄ）は中心部の短いブラシ足部を示す断面図である。この実施の形態では、把持部２０を中心として中間のブラシ足部１０ａと、長いブラシ足部１０ａの２個の円を形成するように長さを変化させ、把持部２０の中心部に円状に短いブラシ足部１０ａを８個配置した構成である。中心部の８個の短いブラシ足部１０ａは、外側に向けて所定角度傾斜し、この８個の短いブラシ足部１０ａによっても人体頭部に押圧接触させてブラシングし、かつ揉む、掻く、梳く、擦るようにマッサージすることが可能である。
【００４３】
図１６の実施の形態について説明すると、図１６（ａ）はヘアブラシの平面図、図１６（ｂ）は図１６（ａ）のｂ−ｂ線に沿う断面図、図１６（ｃ）はヘアブラシの底面図である。この実施の形態では、把持部２０を中心として中間のブラシ足部１０ａと、長いブラシ足部１０ａの２個の円を形成するように長さを変化させて一体に成形し、中間のブラシ足部１０ａは途中から屈曲させて直線状に延ばし、把持部２０の中心部に円状に短いブラシ足部１０ａを８個配置した構成である。中間のブラシ足部１０ａが、長いブラシ足部１０ａとは異なって人体頭部に押圧接触し、揉む、掻く、梳く、擦るようにマッサージすることが可能である。
【００４４】
このように、図１５及び図１６の実施の形態では、中心部に短いブラシ足部１０ａを複数個本直立か外方向に角度をつけて併設することで、中間のブラシ足部１０ａや長いブラシ足部１０ａが中心に作用しないことで生じる中心空間を短いブラシ足部１０ａでおぎなって揉む、掻く、梳く、擦るようにマッサージすることが可能である。
【００４５】
（第３の実施の形態）
この実施の形態のヘアブラシは、図１７乃至図２０に示すように構成される。この実施の形態は、ブラシ足部１０ａは、把持部２０を中心として複数の円を形成するように長さを変化させた構成であり、第１の実施の形態及び第２の実施の形態と同様な構成は、同じ符号を付して説明を省略する。
【００４６】
図１７及び図１８の実施の形態について説明すると、図１７は３個のヘアブラシを組み付けた状態を示す図、図１８は組み付けた３個のヘアブラシを示す図である。この実施の形態では、把持部２０を中心として短いブラシ足部１０ａを有するヘアブラシ１と、中間のブラシ足部１０ａを有するヘアブラシ１と、長いブラシ足部１０ａを有するヘアブラシ１の３個を別体に成形し、この３個のヘアブラシ１を組み付けてブラシ足部１０ａは、把持部２０を中心として複数の円を形成するように長さを変化させた構成である。
【００４７】
図１９及び図２０の実施の形態について説明すると、図１９は３個のヘアブラシを組み付けた状態を示す図、図２０は組み付けるヘアブラシの他の実施の形態を示す図である。この実施の形態は、図１７及び図１８の実施の形態と同様にヘアブラシ１の３個を別体に成形し、この３個のヘアブラシ１を組み付けてブラシ足部１０ａは、把持部２０を中心として複数の円を形成するように長さを変化させた構成であるが、この実施の形態では、把持部２０がヘアブラシとは別体に成形され、短いブラシ足部１０ａを有するヘアブラシ１の取付部１ｂを、把持部２０に螺着することで中間のブラシ足部１０ａを有するヘアブラシ１と、長いブラシ足部１０ａを有するヘアブラシ１の３個を一体化している。
【００４８】
短いブラシ足部１０ａを有するヘアブラシ１は、図２０に示すように構成することができる。図２０（ａ）の実施の形態では、短いブラシ足部１０ａが樹脂で一体成形されたものであり、このブラシ足部１０ａは内側に向けて屈曲されて角度１０度〜３０度の範囲である。図２０（ｂ）の実施の形態では、短いブラシ足部１０ａが樹脂で一体成形されたものであり、このブラシ足部１０ａは直線状で角度１０度〜３０度の範囲である。図２０（ｃ）の実施の形態では、短いブラシ足部１０ａが植毛されたものであり、このブラシ足部１０ａは直線状で先端部が球状で角度１０度〜３０度の範囲である。図２０（ｄ）の実施の形態では、短いブラシ足部１０ａが植毛されたものであり、このブラシ足部１０ａは直線状で先端部が針状で角度１０度〜３０度の範囲である。短いブラシ足部１０ａは、使用押圧で外方向に寝て、押圧を止めて上に移動させると元に戻ることで揉む、掻く、梳く、擦ることができる。
【００４９】
このように、第３の実施の形態では、ヘアブラシ１を組み合わせた構成であり、
大中のヘアブラシ１は頭部丸味包むような大きさにするが、小のヘアブラシ１は殆んど場合頭部丸味の頂点に対して使用するので丸味は少なくて済む。従って、ヘアブラシ１はブラシ足部１０ａを外方向に角度１０度〜４０度内に寝かせるか寝かした先端部１０ａ２に揉む、掻く、梳く、擦るように熱で毛先玉を作るかエポキシ樹脂率の材料を接着して重ねブラシとして使用する。大中小のヘアブラシ１の硬度は同じでもよいし、大のヘアブラシ１は太くて大きく長いので軟らか、中のヘアブラシ１は大のヘアブラシ１より細く短くするため大のヘアブラシ１より硬め、小のヘアブラシ１は中のヘアブラシ１より細く短くなるので中のヘアブラシ１より硬めというように大きさ形状によって角度を違えてもよい。
【００５０】
（第４の実施の形態）
この実施の形態のヘアブラシは、図２１乃至図２３に示すように構成される。この実施の形態は、把持部２０は、貯留する薬液を吐出させて塗布する塗布部を備える構成であり、第１の実施の形態及び第２の実施の形態と同様な構成は、同じ符号を付して説明を省略する。
【００５１】
図２１の実施の形態では、図２１（ａ）はヘアブラシの斜視図、図２１（ｂ）はヘアブラシの断面図、図２１（ｃ）はヘアブラシの使用状態を示す図である。ヘアブラシ１は、ブラシ足部１０ａを台９１から長く延びるように一体に形成している。このヘアブラシ１の使用はブラシ足部１０ａを頭部に押し付けるとブラシ足部１０ａが曲がり、塗布部を構成する吐出ノズル３２の先端部が頭部１００に押されてポンプ３１が駆動し、複数個開口した吐出通路３２ａから液が拡散して吐出し、ブラシ足部１０ａにより頭の毛髪や頭の皮膚の必要とする場所へ十分かつ適量塗布すると共に、マッサージすることができる。
【００５２】
図２２の実施の形態では、図２１の実施の形態と同様に構成されるが、図１９の実施の形態と同様に、ヘアブラシ１の３個を別体に成形し、この３個のヘアブラシ１を組み付けてブラシ足部１０ａは、把持部２０を中心として複数の円を形成するように長さを変化させた構成である。この実施の形態では、短いブラシ足部１０ａを有するヘアブラシ１の中心部に吐出ノズル３２を設け、この吐出ノズル３２の先端部が頭部に押されてポンプ３１が駆動し、液が拡散して吐出する。
【００５３】
図２３の実施の形態では、図２３（ａ）はヘアブラシの側面図、図２３（ｂ）はヘアブラシを塗布側から見た図、図２３（ｃ）は液塗布用具の使用状態を示す図である。
【００５４】
この実施の形態のヘアブラシ１は、把持部２０に貯留する液を吐出させて塗布するように構成され、塗布部は、液を吐出する吐出ノズル１０３と、把持部２０に貯留する液を吐出ノズル１０３から吐出させるポンプ１０４と、液を吐出する吐出ノズル１０３とを備えている。ヘアブラシ１は吐出ノズル１０４を中心として周囲に延びる複数本の可とう性材料で成形されたブラシ足部１０ａを有し、ブラシ足部１０ａには吸盤１０ｄが形成されている。
【００５５】
この実施の形態のヘアブラシ１は例えば液を頭部に塗布する場合に把持部２０を持ってブラシ足部１０ａを頭部に被せ、吐出ノズル１０３を頭部に押し付けるとポンプ１０４が駆動して把持部２０の液が吐出ノズル１０３から吐出し頭部に拡散塗布される。押し付けを止めると液の吐出が停止され、再度の押し付けにより吐出ノズル１０３から吐出し頭部に拡散塗布され、この繰り返してブラシ足部１０ａの吸盤１０ｄにより塗布箇所をマッサージすることができる。
【産業上の利用可能性】
【００５６】
この発明は、人体頭部に押圧接触させてブラシングするヘアブラシに適用でき、揉む、掻く、梳く、擦るようにマッサージすることが可能である。
【符号の説明】
【００５７】
１  ヘアブラシ１
１０  ブラシ部
１０ａ  ブラシ足部
１０ａ１  基部
１０ａ２  先端部
１０ａ２１  曲面部
１０ａ２２  指関節
１０ａ２３  凹凸部
２０  把持部
３１  ポンプ
３２  吐出ノズル
３２ａ  吐出通路
１０３  吐出ノズル
１０４  ポンプ
【図１】
2016119947.tif 000003
【図２】
2016119947.tif 000004
【図３】
2016119947.tif 000005
【図４】
2016119947.tif 000006
【図５】
2016119947.tif 000007
【図６】
2016119947.tif 000008
【図７】
2016119947.tif 000009
【図８】
2016119947.tif 000010
【図９】
2016119947.tif 000011
【図１０】
2016119947.tif 000012
【図１１】
2016119947.tif 000013
【図１２】
2016119947.tif 000014
【図１３】
2016119947.tif 000015
【図１４】
2016119947.tif 000016
【図１５】
2016119947.tif 000017
【図１６】
2016119947.tif 000018
【図１７】
2016119947.tif 000019
【図１８】
2016119947.tif 000020
【図１９】
2016119947.tif 000021
【図２０】
2016119947.tif 000022
【図２１】
2016119947.tif 000023
【図２２】
2016119947.tif 000024
【図２３】
2016119947.tif 000025